(57)【要約】【課題】  気密性を確保することができるとともに、ランプの装着性が改善されたダウンライトを提供すること。【解決手段】  ダウンライト１は、下面が開口し、内周面に反射面９を有した反射体である反射板３と、反射板３の外部に配置され、ランプ６のベース部１０の一端側に設けた口金部１７が装着されるソケット部４とを器具本体２に備えるとともに、反射板３に開口し、ソケット部４に装着されるランプ６を反射板３内に臨ませる孔部３ａと、一端側の円筒部５ａでソケット部４を密着して内装するとともに、他端側にランプ６のベース部１０を内装する収納部５ｂを有するソケットパッキン５とを備え、ソケットパッキン５の収納部５ｂは、その内形状をベース部１０の外形状と相似形状に形成されるとともに、収納部５ｂの開口縁部５ｃは、反射板３の孔部３ａの周縁部に密着されている。【選択図】図１
2005285362.tif 000002
【特許請求の範囲】
【請求項１】
下面が開口し、内周面に反射面を有した反射体と、前記反射体の外部に配置され、ランプのベース部の一端側に設けた口金部が装着されるソケット部とを備えるとともに、前記反射体に開口し、前記ソケット部に装着される前記ランプを前記反射体内に臨ませる孔部と、一端側で前記ソケット部を密着して内装するとともに、他端側に前記ランプの前記ベース部を内装する収納部を有するソケットパッキンとを備え、前記ソケットパッキンの前記収納部は、その内形状を前記ベース部の外形状と相似形状に形成されるとともに、前記収納部の開口縁部は、前記反射体の前記孔部の周縁部に密着されていることを特徴とするダウンライト。
【請求項２】
前記孔部は、前記反射体の側周部に設けられ、前記ソケット部は、前記反射体の開口した下面に対して略並行な方向を向いて、前記孔部と対向していることを特徴とする請求項１記載のダウンライト。
【発明の詳細な説明】
【技術分野】
【０００１】
本発明は、照明器具に関し、特に天井に埋め込み設置されるダウンライトに関する。
【背景技術】
【０００２】
従来のダウンライトとしては、反射板に設けたソケット挿通孔にランプソケットであるソケット部を取り付ける際に、前記ソケット部の外周面にゴム製の防音パッキングを取り付けたものが提供されている（特許文献１）。
【０００３】
また、図３に示すようなダウンライト１０１は、下面が開口し、内周面に反射面を有した反射体である反射板１０２と、反射板１０２の外部に配置され、ランプ（図示せず）のベース部の一端側に設けた口金部が装着されるソケット部１０３と、反射板１０２に開口し、ソケット部１０３に装着されるランプを反射板１０２内に臨ませる孔部１０６とを備えている。
【０００４】
反射板１０２は、下面が開口し、内周面に反射面を有した釣鐘形状からなり、開口した下面の外周縁につば部１０７を備えるとともに、側周部に、ソケット部１０３に装着されるランプを反射板１０２内に臨ませる孔部１０６が開口している。また、この反射板１０２の側周部にはダウンライト１０１を天井に取り付けるための取付具１０８が設けられており、この取付具１０８により、ダウンライト１０１は天井に埋め込み設置される。
【０００５】
ソケット部１０３は、ランプの口金部が装着されることで、ランプが機械的、電気的に接続されるもので、電源からの電線を接続される端子を備えた端子台１０５と機械的、電気的に接続されるとともに、器具本体１０４によって反射板１０２の外部に配置されている。
【特許文献１】実開平６−６４３１９号公報（第１図）
【発明の開示】
【発明が解決しようとする課題】
【０００６】
上述の前者は、反射板のソケット挿通孔にソケット部を配置して、反射板とソケット部とが接触するようにして設けられており、このときにゴム製の防音パッキングをソケット部に取り付けることで、パッキングによって反射板とソケット部間の隙間を埋めて、防音効果、及び気密効果を得ているものである。
【０００７】
しかし、前者のダウンライトは、反射板の開口径に対して大きめのランプを用いるのには適しておらず、狭い開口径の反射板に対して大きめのランプ、例えば、電球形蛍光灯を用いるためには、上述の後者のダウンライト１０１を用いる必要がある。ところが、後者のダウンライト１０１は、ソケット部１０３が反射板１０２の外部に配置されているために、前者のような防音パッキングを用いても気密効果を得ることができず、気密性が悪いという問題を生じていた。
【０００８】
さらに、このようにソケット部１０３が反射板１０２より外側に配置されていると、ランプをダウンライト１０１に装着する際に、天井裏が暗いためにソケット部１０３の位置がわかりづらく、ランプの装着性が非常に悪いという問題があった。
【０００９】
本発明は上述の点に鑑みて為されたもので、その目的は、気密性を確保することができるとともに、ランプの装着性が改善されたダウンライトを提供することである。
【課題を解決するための手段】
【００１０】
上述の課題を解決するために、請求項１の発明では、下面が開口し、内周面に反射面を有した反射体と、前記反射体の外部に配置され、ランプのベース部の一端側に設けた口金部が装着されるソケット部とを備えるとともに、前記反射体に開口し、前記ソケット部に装着される前記ランプを前記反射体内に臨ませる孔部と、一端側で前記ソケット部を密着して内装するとともに、他端側に前記ランプの前記ベース部を内装する収納部を有するソケットパッキンとを備え、前記ソケットパッキンの前記収納部は、その内形状を前記ベース部の外形状と相似形状に形成されるとともに、前記収納部の開口縁部は、前記反射体の前記孔部の周縁部に密着されていることを特徴とするダウンライトとした。
【００１１】
請求項１の発明によれば、反射体の孔部とソケット部との間がソケットパッキンによって密閉されているため、反射体の孔部から気流が流出入することがなくなる。これにより、ダウンライトの気密性を確保することができる。さらに、ランプの装着時には、ソケットパッキンがランプをソケット部へ誘導するガイドの役割を果たすことになるため、ランプをソケット部に容易に装着することができる。これにより、ランプの装着性を改善することができる。
【００１２】
請求項２の発明では、請求項１の発明の構成に加えて、前記孔部は、前記反射体の側周部に設けられ、前記ソケット部は、前記反射体の開口した下面に対して略並行な方向を向いて、前記孔部と対向していることを特徴とするダウンライトとした。
【００１３】
請求項２の発明によれば、ランプが天井面に略平行に位置して装着されているダウンライトを得ることができる。
【発明の効果】
【００１４】
本発明は、ソケット部と反射体の孔部との間を密閉するソケットパッキンを備えているので、反射体の孔部から気流が流出入することがなくなり、これにより、ダウンライトの気密性を確保することができ、さらに、ソケットパッキンがランプをソケット部へ誘導するガイドとなるため、ランプをソケット部に容易に装着することができるようになり、ランプの装着性を改善することができるという効果がある。
【発明を実施するための最良の形態】
【００１５】
本発明のダウンライト１は、図１（ａ）、（ｂ）に示すように、下面が開口し、内周面に反射面９を有した反射体である反射板３と、反射板３の外部に配置され、ランプ６のベース部１０の一端側に設けた口金部１７が装着されるソケット部４とを器具本体２に備えるとともに、反射板３に開口し、ソケット部４に装着されるランプ６を反射板３内に臨ませる孔部３ａと、一端側の円筒部５ａでソケット部４を密着して内装するとともに、他端側にランプ６のベース部１０を内装する収納部５ｂを有するソケットパッキン５とを備え、ソケットパッキン５の収納部５ｂは、その内形状をベース部１０の外形状と相似形状に形成されるとともに、収納部５ｂの開口縁部５ｃは、反射板３の孔部３ａの周縁部に密着されて構成されている。
【００１６】
ところで、本発明のダウンライト１に用いるランプ６は、例えば、１２Ｗの電球形蛍光灯であり、このようなランプ６は、Ｅ１７形の口金と同形の口金部１７と、発光部１６となる蛍光灯と、口金部１７を一端側に備えるとともに、発光部１６を他端側から突出して備えて、口金部１７を介して電源に接続されて発光部１６に発光用の電力を供給する回路（図示せず）を内蔵されているベース部１０とから構成されるものである。なお、ワット数や口金の形は、上記のものに限られるものではない。
【００１７】
以下に、本発明のダウンライト１について詳細に説明する。
【００１８】
器具本体２は、図１（ｂ）に示すように、例えば、板厚１．０ｍｍの亜鉛鋼板から門形に形成されるもので、略長方形状の中央部２ａと、中央部２ａの長手方向の一端側における中央部２ａの短手方向の両端部から下方へ延設された板状の第１の側部２ｂ，２ｂと、中央部２ａの長手方向の他端部から下方へ延設された板状のソケット保持部２ｃと、中央部２ａの長手方向の他端側における中央部２ａの短手方向の両端部から下方へ延設された板状の第２の側部２ｄ，２ｄとから構成されている。また、中央部２ａは、その長手方向の一端側に、反射板３取付用の孔部２ｅを有している。ソケット保持部２ｃは、器具本体２に反射板３及びソケット部４を取り付けた際に、ソケット部４が、反射板３の開口した下面に対して略並行な方向を向いて、反射板３の孔部３ａと対向する位置に配置されるように設けてある。両第１の側部２ｂ，２ｂは、その長手方向の端部を外方に折り曲げてなる係止片（図示せず）を有するとともに、長手方向に添ったＴ字型のスリット１１を有している。該スリット１１には、板厚０．５ｍｍのステンレス鋼板（ＳＵＳ）からなる取付金具１２がスリット１１に添って摺動可能に設けられており、第１の側部２ｂの前記係止片と取付金具１２とで、天井板８の埋込穴８ａの縁部を狭持してダウンライト１を天井に埋め込み設置するための取付手段を構成している。また、両第１の側部２ｂの端部は、例えば、板厚０．６ｍｍの鋼板により環状に形成された補助枠１３に固着されている。
【００１９】
反射板３は、例えば、ＰＢＴ（ポリブチレンテレフタラート樹脂）を用いて、下面が開口した釣鐘形状に形成され、下面の開口部の縁部には、ダウンライト１を天井板８の埋込穴８ａに設置した際に、埋込穴８ａの周縁部を覆うつば部３ｂが一体に形成されている。この反射板３の側周部には、ソケット部４に装着されるランプ６を反射板３内に臨ませるための孔部３ａが開口しており、加えて、反射板３の頂部には、反射板３を器具本体２に取り付けるための取付孔３ｃが設けられている。そして、反射板３の内周面にはランプ６の発光部１６から発せられる光を反射して室内へと導くための反射面９を備えている。
【００２０】
ソケット部４は、例えば、円筒状の磁器からなるソケット本体１４の一端側に、口金部１７に対応するＥ１７形の端子部１５を備えて構成され、電源からの電線が接続される例えば速結端子からなる端子７ａを備えた端子台７と電気的に接続されている。
【００２１】
ソケットパッキン５は、例えば、シリコンゴムから形成され、図２（ａ）、（ｂ）に示すように、一端側に円筒部５ａを有するとともに、他端側に収納部５ｂを有し、これらの内部を連通して一体に備えている。円筒部５ａは、ソケット本体１４を密着して内装するために、その内径をソケット本体１４の外径よりもやや小さめに形成してある。収納部５ｂは、ランプ６のベース部１０を内装するもので、その内形状をベース部１０の外形状と相似形状に形成するとともに、収納部５ｂの他端側の開口縁部５ｃを、反射板３の孔部３ａの周縁部と密着する形状に形成してある。このようなソケットパッキン５によれば、シリコンゴムの弾性によって、ソケットパッキン５とソケット部４及び反射板３とが強固に隙間無く密着するため、反射板３の孔部３ａとソケット部４との間が密閉され、気密性を保つことができる。
【００２２】
これらの部材からダウンライト１は、次のようにして構成されている。すなわち、ソケット部４は、図１（ａ）に示すように、器具本体２のソケット保持部２ｃに設置されて、器具本体２の第２の側部２ｄの一方に設けられた端子台７と電気的に接続されることで、電源と電気的に接続されることになる。そして、ソケットパッキン５は、円筒部５ａ内にソケット部４を密着して内装してソケット部４に取り付けられる。この後に反射板３は、補助枠１３がつば部３ｂの直上に位置するとともに、反射板３の取付孔３ｃと器具本体２の孔部２ｅとが連通するようにして器具本体２に配置されて、連通させた取付孔３ｃ、孔部２ｅにボルト１９を挿通させて、ナット２０でボルト１９を固定することで、器具本体２に固着されている。
【００２３】
このようなダウンライト１は、図１（ａ）、（ｂ）に示すように、室内の天井板８に設けられた、例えばφ１００±２ｍｍであるような埋込穴８ａに、上述した取付手段により埋め込み設置されるものであり、ランプ６を反射板３内から孔部３ａ及びソケットパッキン５を通ってソケット部４に装着されて実際に使用されることになる。
【００２４】
本発明のダウンライト１によれば、一端側の円筒部５ａがソケット部４に密着するとともに、他端側の収納部５ｂの開口縁部５ｃが反射板３の孔部３ａの周縁部に密着するソケットパッキン５を設けて、反射板３とソケット部４との間をソケットパッキン５によって密閉しているので、反射板３の孔部３ａから気流が流出入することがなくなり、これにより、ダウンライト１の気密性を確保することができる。さらに、ソケットパッキン５の収納部５ｂの内形状をベース部１０の外形状と相似形状に形成してあるため、ソケットパッキン５がランプ６をソケット部４へ誘導するガイドの役割を果たすことになるため、ランプ６をソケット部４に容易に装着することができ、これにより、ランプ６の装着性を改善することができる。
【図面の簡単な説明】
【００２５】
【図１】（ａ）は、本発明のダウンライトの断面図であり、（ｂ）は、同上のダウンライトの斜視図である。
【図２】（ａ）は、本発明のダウンライトのソケットパッキンの斜視図であり、（ｂ）は、同上のソケットパッキンの他方からの斜視図である。
【図３】従来のダウンライトの斜視図である。
【符号の説明】
【００２６】
１    ダウンライト
２    器具本体
２ａ  中央部
２ｂ  第１の側部
２ｃ  ソケット保持部
２ｄ  第２の側部
２ｅ  孔部
３    反射板
３ａ  孔部
３ｂ  つば部
４    ソケット部
５    ソケットパッキン
５ａ  円筒部
５ｂ  収納部
５ｃ  開口縁部
６    ランプ
７    端子台
７ａ  端子
８    天井板
８ａ  埋込穴
９    反射面
１０    ベース部
１１    スリット
１２    取付金具
１３    補助枠
１４    ソケット本体
１５    端子部
１６    発光部
１７    口金部
【図１】
2005285362.tif 000003
【図２】
2005285362.tif 000004
【図３】
2005285362.tif 000005